(57)【要約】【構成】主制御部、コインメックを有する自動販売機において、高輝度ＬＣＤの映像装置を搭載し、既存の汎用ＯＡ機器と、一般的な汎用ソフトと、汎用映像ソフトで素材加工と編集を行い、この編集した素材を最終的に自動販売機映像装置５用データに変換し、このデータを用いて入れ替えたり、さらに、書き換えた上、入れ替えることができる自動販売機映像システム。【効果】各展開ロケーションのケースに対応でき、販売待機中、入金時、販売動作中の各タイミングの目的を満足し、自動販売機映像装置の本来の目的である販売商品の販売促進（増販、商品告知、商品訴求、企業ＰＲ、Ｈｅａｌｉｎｇ）、設置先への営業ツール（新規設置先獲得、設置先撤去防衛、設置先との良好な関係の構築）、新ビジネスの開拓（広告媒体としての活用）、新情報発信媒体（端末としての活用）を実現したものである。【選択図】　　　図１
2004078679.tif 000002
【特許請求の範囲】
【請求項１】
主制御部、コインメックを有する自動販売機において、高輝度ＬＣＤの映像装置を搭載し、既存の汎用ＯＡ機器と、一般的な汎用ソフトと、汎用映像ソフトで素材加工と編集を行い、この編集した素材を最終的に自動販売機映像装置用データに変換し、このデータを用いて入れ替えたり、さらに、書き換えた上、入れ替えるようにしたことを特徴とする自動販売機映像システム。
【請求項２】
素材加工と編集を展開ロケーションに合わせて販売促進型、販売促進＋営業促進型、営業促進＋販売促進型、営業促進型を適宜選択して加工編集したものを採用したことを特徴とする請求項１記載の自動販売機映像システム。
【請求項３】
素材加工と編集を展開ロケーションに合わせて、自動販売機の販売シーンを利用してお客様に映像ＰＲができるシーンを販売待機中、入金時、販売動作中に分けて、それぞれの映像展開を目的に則って加工編集をしたものを採用したことを特徴とする請求項１、または請求項２に記載の自動販売機映像システム。
【発明の詳細な説明】
【０００１】
【発明の属する技術分野】
本発明は、自動販売機の販売商品の販売促進、設置先への営業ツール、新ビジネスの開拓、新情報発信媒体としての自動販売機映像システムに関するものである。
【０００２】
【従来の技術】
従来の自動販売機における広告、告知用映像装置としては、複数種類の販売商品から所望の前記販売商品を選択するためのセレクションボタンと、味調節、カップ選択の販売形態モードプログラムを搭載し、各モードを選択設定可能にした制御装置と、液晶、ＣＲＴ、プラズマ等のディスプレイを搭載し、制御装置とディスプレイを連動し各販売モードに対応したガイド画面を表示できるようにしたマルチ販売形態対応カップ式自動販売機（特開２０００−０８２１６５号公報参照）が存在している。
【０００３】
【発明が解決しようとする課題】
本発明に係る自動販売機映像システムは、上記した従来の技術が有する問題点に鑑みなされたもので、次の課題を解決することが目的である。
第１の課題は、自動販売機の販売商品の促進を図るための増販、商品告知、商品訴求、企業ＰＲをタイムリーに臨機応変に市場のニーズに答えることができるようにすることである。
第２の課題は、自動販売機の新規設置先獲得、設置先撤去防衛、設置先との良好な関係の構築等、設置先への営業ツールとして、臨機応変に答えることができるようにすることである。
第３の課題は、自動販売機を広告媒体として活用し、新ビジネスの開拓を図る上で、タイムリーに臨機応変に市場のニーズに答えることができるようにすることである。
第４の課題は、自動販売機を端末として活用し、新情報発信媒体を構築できるようにしてタイムリーに臨機応変に新しい情報を発信できるようにすることである。
【０００４】
すなわち、従来の自動販売機における映像装置のコンテンツ作成の方法では、それぞれの設置ロケーションによって、色々なコンテンツ展開ができなかったものを、本発明のシステムによりタイムリーに臨機応変に市場のニーズに答えるようにしたものである。
【０００５】
また、ハード面で見ると、大人にはきれいに見えるが、子供の視点では、ＬＣＤ色反転が起き、良く見えない。窓際に面したロケ先、軒下等の野外設置時、周りが明るい場所では、明るさに負けてよく見えない等、ディスプレイの視野角と輝度に問題がある。さらに、自動販売機内部は埃が多く、ＣＤ−ＲＯＭドライブの読み取り不良の発生や、ロケーションによっては、タバコの煙の影響により、ＣＤ−ＲＯＭの読み取り不良も出るという問題がある。
【０００６】
ソフト面では、かなり多くのデータを６４０ＭＢのＣＤ−ＲＯＭに収めるために特殊なＯＳが必要であり、フォーマットにデータを変換して保存しているため、データの汎用性がなく、開発に時間とコストがかかってしまう。そのため、ロケーション先のＶＴＲデータやＣＭの差し替えに対して機動性がなく、運用に支障をきたしている。
【０００７】
【課題を解決するための手段】
本発明は、前記課題の解決を図ったもので、次のような技術手段を採用した。請求項１記載の発明においては、主制御部、コインメックを有する自動販売機において、高輝度ＬＣＤの映像装置を搭載し、既存の汎用ＯＡ機器と、一般的な汎用ソフトと、汎用映像ソフトで素材加工と編集を行い、この編集した素材を最終的に自動販売機映像装置用データに変換し、このデータを用いて入れ替えたり、さらに書き換えた上、入れ替えるという技術手段を採用した。
【０００８】
請求項２記載の発明においては、請求項１記載の発明に加えて、素材加工と編集を展開ロケーションに合わせて販売促進型、販売促進＋営業促進型、営業促進＋販売促進型、営業促進型を適宜選択して加工編集したものを採用するという技術手段を採用した。
【０００９】
請求項３記載の発明においては、請求項１及び請求項２記載の発明に加えて、素材加工と編集を展開ロケーションに合わせて、自動販売機の販売シーンを利用してお客様に映像ＰＲができるシーンを販売待機中、入金時、販売動作中に分けて、それぞれの映像展開を目的に則って加工編集をしたものを採用するという技術手段を採用した。
【００１０】
【発明の実施の形態】
図１は、本発明に係る自動販売機映像システムに採用するコンテンツの更新作業を説明する説明図である。
図１に示されたものからも理解できるように、市販されている汎用パソコン１、汎用メモリー媒体２（スマートメディア、メモリースティック、ＣＤ−ＲＯＭ、ＤＶＤ等）を使用し、専用ソフト、市販汎用ソフトを駆使し、簡単にだれでもコンテンツを作成、編集する編集装置３によってＰＣカード４等を製作し、このＰＣカード４により自動販売機映像装置５にオートダウンロードして入れることができるシステムとする。
【００１１】
なお、コンテンツ製作に使用する素材は、汎用のビデオ、デジカメ、スキャナー、インターネット、ＣＧなどの動画、静止画データ（図４、図５参照）等が考えられ、可能な限り現在の汎用ＯＡ機器を使用し、一般的な汎用ソフト、汎用映像編集ソフトで、素材加工と編集をし、最終的に自動販売機映像装置用データに一回変換するだけで、だれでも簡単に自動販売機映像システムのコンテンツを入れ替え、書き換えできるようにしたものである。
【００１２】
次に、図２に基づいてパチンコゲームイメージのベンダービジョンユニットのブロック図を説明する。
編集されたコンテンツを収納したＰＣカード４を使用して、自動販売機コントローラ６、コインメック７のコントロールにより、電子回路のインターフェースを介してキャッシュバックゲーム１１に接続し、さらに、大容量の密閉型ＨＤＤ８と主制御部９を接続し、パソコンメモリーカード国際協会認定の電子回路のインターフェース１０とキャッシュバックゲーム１１を接続して、これら主制御部９、キャッシュバックゲーム１１から表示切替装置１２を介して、ＬＣＤモニタ１３で映像表示するものである。
【００１３】
図３に示したものは、他のベンダービジョンユニットのブロック図で、図２で示したものの内、キャッシュバックゲーム１１を取り除いたもので、その他は同一であるため、説明を省略する。
【００１４】
次に、図４に示すものは図１〜図３で説明したコンテンツの更新作業と、ベンダービジョンユニットを採用した具体的な自動販売機共通コントローラに接続する場合の説明図であり、図５に示すものは、同じく自動販売機汎用コントローラに接続する場合の説明図である。
【００１５】
この自動販売機は、搭載した映像装置の展開ロケーションとしては、大きく次のように４つのケースに分けられる。
１．キャッシュバックキャンペーンとして、商品告知やカップ式自動販売機の場合は、レギュラー訴求や、カップ式自動販売機訴求を中心に販売促進ツールとして利用する販売促進型。
２．キャッシュバックキャンペーンは、先の販売促進ツールとしての使い方に加えて、ロケ先のＰＲを時折入れる販売促進型＋営業促進型。
３．ほとんどをロケ先ＰＲ、企業紹介、広告等の営業ツールとして使い、販売促進はキャッシュバックキャンペーンのみを行う営業促進型＋販売促進型。
４．入金画面以外は、全てロケ先ＰＲ、企業紹介、広告等のロケ先情報を流す営業促進型。
が考えられる。
【００１６】
この展開ロケーションパターンに自動販売機の販売シーンを利用して、お客様に映像ＰＲができるシーンを考えると、販売待機中、入金時、販売動作中とがあり、これをお客様に対して、自動販売機の映像装置から流すタイミングを分けることができ、それぞれの映像展開の目的は、下記のようにすることが考えられる。
１．タイミング１の販売待機中には、いつものエンドユーザーをエンカレッジ（例、いつも飲んでいる飲料が多くの人に支持されているものだという安心感をＰＲ）したり、新たなエンドユーザーの開拓（自動販売機の使い易さをアピール）したり、商品告知に惹かれて思わず購入してしまうもの）をしたり、癒し感、もてなし感を提供できるように癒しをドリンクとリンクさせ、その時の印象を残し、あの映像を見るために自動販売機の前に足を運ぶようにする。
２．タイミング２の入金時には、カップ式自動販売機の場合、「カップ式ならでは」の魅力を再発見してもらうように、「こんなことができる、私にも簡単にできる」等、消費者に自動販売機のすばらしさを発見してもらう。味調節機能を利用して、「失敗しない、機能が壊れない、安心して操作できる」等、ゲーム感覚で使用できるように導きながら使ってみたくなるように利用者数アップをねらう。味調節機能には、ある飲料には機能し、ある飲料には機能しないなどの制限があるため、お客様の期待をそむくものが多々あった。これを解決して期待を背かないように正確に理解していただけるようにＰＲすることで、お客様の目指す味を提供できるようにする。
以上のことから、カップ式自動販売機としては、間違いのない味をお届けでき、お客様へ「安心」をお届けするものである。
３．タイミング３の販売動作中には、カップ式自動販売機の場合、商品でき上りまでが楽しい、待ち時間の手持ち無沙汰感の解消をし、飲み物＋αの魅力、キャッシュバックキャンペーン、レギュラーコーヒーができ上がるまでのプロセスを販売調理状況とリンクさせてＰＲしたり、購入すると嬉しい、買って得する情報の提供や、商品の豆知識、キャンペーンの告知を商品選択ボタンを押す喜びに継なげたり、エンドユーザー参加型の企画を盛り込み（例えば、ショートドラマの「続き」募集、新商品ネーミング募集、販売中に応募のパスワード入手）等、次回の購入につなげる企画を提供し、ファンの育成、口コミ伝染を起させる。
【００１７】
すなわち、その具体的な構成としては、自動販売機の販売シーンにより、待機画面（普段の販売待機状態時に流れる画面）、入金画面（利用者が、商品を購入するためにコイン、紙幣、カード等で入金した時に流れる画面）、プロセス画面（利用者が、購入商品を選択し、販売状態になった時に流れる画面）の三つの画面に分けることができる。
【００１８】
そして、各画面のうち待機画面では、自動販売機の前を通りかかるお客様の注意を引き、購入意欲をわきたたせて、数ある自動販売機の中からこの自動販売機を選択していただくようにし、ほっとする、見ていて楽しい等、ファンを増やすようにする。さらに、癒し、呼び込み、商品ＰＲ、企業ＰＲ、ＣＭ、ロケ先ＰＲ、カップ式自動販売機の啓蒙。挨拶、情報提供により市場獲得、又は維持のための武器とする。
【００１９】
入金画面では、購入者のための親切自動販売機操作ガイドを表示し、初めての利用者でもご利用いただけるように案内する。ファンクションボタン先押し、ファンクションボタン後押し、紙カップ専用、マイカップ専用、紙カップ・マイカップ併用などを案内する。
【００２０】
プロセス画面では、調理待ち時間の感覚的軽減を図る。ブラックボックス化したカップ式自動販売機の調理工程をＰＲし、カップ式自動販売機に対する意識の啓蒙を行う。販売商品、販促商品、企業イメージのＰＲ、キャッシュバック等の販売促進キャンペーンとしての機能を表現する。さらに、調理工程イメージ、商品ＰＲ、ＣＭ等を採用する。
【００２１】
以上の展開ロケーションと販売待機中、入金時、販売動作中のタイミングの適宜な選択により、自動販売機映像システムや映像装置に関係なく、しかも、専属プログラマーでなくともコンテンツが開発でき、コンテンツ作成が安価にできコストと時間を要さず、自動販売機映像情報のタイムリーな展開を可能にし、市場ニーズ、自動販売機オペレート事業者の目的要望に応えられるものになった。
【００２２】
すなわち、自動販売機コントローラ６と自動販売機映像装置５を通信（有線、無線）によって接続、各種タイミングである販売待機中、入金時、販売動作中に対応するようにする。しかも、市販されている汎用パソコン１、汎用メモリー媒体２（スマートメディア、メモリースティック、ＣＤ−ＲＯＭ、ＤＶＤ等）を使用し、専用ソフト、市販汎用ソフトを駆使し、簡単にだれでもコンテンツを作成、編集し、自動販売機映像装置に入れることができるシステムとする。
【００２３】
そして、コンテンツ作成に使用する素材は、汎用のビデオ、デジタルカメラ、スキャナー、インターネット、ＣＧ等の動画、静止画データ（ＪＰＥＧ、ＭＰＥＧ、ＡＶＩ、ＢＭＰファイル等）を使用し、可能な限り現在の汎用ＯＡ機器を使用し、一般的な汎用ソフト（例えば、マイクロソフトのパワーポイント等）、汎用映像編集ソフトで素材加工と編集をし、最終的に自動販売機映像装置用データに一回変換するだけで、だれでも簡単に自動販売機映像装置５のコンテンツを入れ替え、書き換えできるようなハードとソフトを用意することで、簡単にそれぞれの設置ロケーションによって、色々なコンテンツ展開をすることができるようになったものである。
【００２４】
また、大人と子供との身長の差による液晶視野角と輝度問題は、現在の高視野角、高輝度ＬＣＤの採用により解決し、埃問題とデータ容量の問題は、大容量の密閉型ＨＤＤ８を採用することにより解決したものである。
【００２５】
【発明の効果】
本発明は、以上の構成を採用した結果、次のような効果を得ることができる。（１）各展開ロケーションのケースに対応でき、販売待機中、入金時、販売動作中の各タイミングの目的を満足し、自動販売機映像装置の本来の目的である販売商品の販売促進（増販、商品告知、商品訴求、企業ＰＲ、Ｈｅａｌｉｎｇ）、設置先への営業ツール（新規設置先獲得、設置先撤去防衛、設置先との良好な関係の構築）、新ビジネスの開拓（広告媒体としての活用）、新情報発信媒体（端末としての活用）を実現したものである。
【図面の簡単な説明】
【図１】本発明のコンテンツ更新作業を説明する概略系統説明図である。
【図２】本発明のベンダービジョンユニットのブロック図である。
【図３】本発明の他のベンダービジョンユニットのブロック図である。
【図４】本発明の自動販売機の共通コントローラに接続する場合のシステム構成図である。
【図５】本発明の自動販売機の汎用コントローラに接続する場合のシステム構成図である。
【符号の説明】
１‥‥汎用パソコン　　　　　　　　　　２‥‥汎用メモリー媒体
３・・・・編集装置　　　　　　　　　　　　４・・・・ＰＣカード
５・・・・自動販売機映像装置　　　　　　　６・・・・自動販売機コントローラ
７・・・・コインメック　　　　　　　　　　８・・・・密閉型ＨＤＤ
９・・・・主制御部　　　　　　　　　　　１０・・・・電子回路のインタフェース
１１・・・・キャッシュバックゲーム　　　　１２・・・・表示切替装置
１３・・・・ＬＣＤモニタ
【図１】
2004078679.tif 000003
【図２】
2004078679.tif 000004
【図３】
2004078679.tif 000005
【図４】
2004078679.tif 000006
【図５】
2004078679.tif 000007